(57)【要約】【課題】光源の駆動回路の回路規模を増大させることなく画像情報に応じた適切な光量むらの補正を実行する。【解決手段】光量むら補正情報設定部３４０は、入力された画像情報に基づき、最大露光幅に対して３２個の補正位置が等間隔に配置された光量むら補正情報Ａと、最大露光幅に対して１０００個の補正位置が等間隔に配置された光量むら補正情報Ｃから画像情報の特性に応じて抽出した３２個の補正データからなる第３補正テーブル３４２とのいずれか一方を選択して、ＬＤ駆動部３１０を制御し、これにより所定の場合に主走査方向における必要な範囲の画質が向上するように光量むらを補正する。【選択図】図４
2016159466.tif 000002
【特許請求の範囲】
【請求項１】
画像形成の過程において、感光体の露光走査の工程を含む画像形成装置であって、
形成すべき画像に関する画像情報を取得する取得部と、
光源の光を周期的に偏向させ、前記感光体を露光走査する露光走査部と、
主走査方向における光量むらを補正するための第１の補正情報を記憶する第１の記憶部を有し当該第１の補正情報に基づいて光量を補正しながら前記光源を駆動する光源駆動部と、
第１の補正情報よりも、詳細な第２の補正情報を記憶する第２の記憶部と、
取得した画像が特定の画像情報の場合に、第２の補正情報から所定数の補正データを抽出して第３の補正情報として設定する設定部と、
前記設定部で第３の光量むら補正情報が設定された場合に、第１の補正情報に代えて第３の補正情報を選択して光源の光量を補正するよう前記光源駆動部を制御する制御部と
を備えることを特徴とする画像形成装置。
【請求項２】
第１と第２の補正情報は、
主走査方向における最大露光範囲を、それぞれ第１と第２の数に分割してなる複数の補正区間の始点もしくは終点を補正位置として、当該補正位置と、当該補正位置において光量補正されるべき量を指標する補正量とを補正データとして含むと共に、
前記第２の数が前記第１の数よりも多いこと
を特徴とする請求項１に記載の画像形成装置。
【請求項３】
前記画像情報には、記録シートの主走査方向におけるシート幅に関する情報が含まれ、
前記設定部は、
画像形成すべきシートのシート幅が、最大のシート幅よりも狭い場合に、当該シート幅に応じて補正位置間の間隔が、第１の補正情報よりも狭くなるように、第３の補正情報を設定する
ことを特徴とする請求項２に記載の画像形成装置。
【請求項４】
前記画像情報には、主走査方向における記録シートの通紙位置に関する情報が含まれ、
前記設定部は、
前記記録シートの通紙位置の相違に応じて、第２の補正情報から抽出すべき補正データの範囲を主走査方向にずらして第３の補正情報を設定する
ことを特徴とする請求項１または２に記載の画像形成装置。
【請求項５】
前記画像情報には、主走査方向における余白の大きさに関する情報が含まれ、
前記設定部は、
前記余白の大きさが所定値以上である場合には、前記補正位置が画像領域の走査範囲内に集中して存在するように第３の補正情報を設定する
ことを特徴とする請求項２に記載の画像形成装置。
【請求項６】
前記画像情報は、異なる種類の画像の配置に関する情報を含み、
前記設定部は、
階調画像の領域と非階調画像の領域が主走査方向において分かれている場合に、階調画像の領域における補正位置間の間隔が、非階調画像の領域における補正位置の間隔よりも狭くなるように第３の補正情報を設定する
ことを特徴とする請求項２に記載の画像形成装置。
【請求項７】
前記設定部は、副走査方向において前記画像情報の条件が異なる領域がある場合に、それらの副走査方向における領域ごとに、異なる第３の補正情報を設定し、
前記制御部は、該当する副走査方向の領域ごとに適用すべき前記異なる第３の補正情報を切り換えて光源の光量を補正するよう制御する
ことを特徴とする請求項１から６までのいずれかに記載の画像形成装置。
【請求項８】
前記第２の記憶部は、第２の補正情報として複数の補正テーブルを有しており、
前記設定部は、前記複数の補正テーブルから、画像情報の条件に適合する補正テーブルを選択して、第３の補正情報として設定する
ことを特徴とする請求項１から７までのいずれかに記載の画像形成装置。
【請求項９】
画像形成のため適用されるべき第１もしくは第３の補正情報を利用して、被転写体上にトナーパターンを形成するトナーパターン形成部と、
前記被転写体上に形成されたトナーパターンの画像を読み取る画像読取部と、
前記読み取ったトナーパターンの画像について主走査方向における濃度むらを検出し、前記適用されるべき第１もしくは第３の補正情報における補正データの補正量を、前記検出された濃度むらを相殺するように調整する補正量調整部と
を備えることを特徴とする請求項１から８までのいずれかに記載の画像形成装置。
【請求項１０】
前記設定部が設定する第３の補正情報における補正データの数は、前記第１の補正情報における補正データの数と等しい
ことを特徴とする請求項１から９までのいずれかに記載の画像形成装置。
【発明の詳細な説明】
【技術分野】
【０００１】
本発明は、画像形成技術に関し、特に電子写真方式における感光体を露光走査時の主走査方向における光量むらの補正に関する。
【背景技術】
【０００２】
電子写真方式の画像形成装置は、感光体ドラムの表面を一様に帯電させた後、主走査方向に露光走査して、その表面に静電潜像を形成する。静電潜像は、トナーで現像されて顕像化され、このトナー像を記録シートに転写することにより、その記録シート上に画像を形成するようになっている。
このような画像形成装置は、感光体ドラムを露光走査するための構成として光走査装置を備えている。光走査装置は、半導体レーザー等の光源の光を走査光学系で偏向させて感光体に照射する。走査光学系は、光源の光を、例えば、回転するポリゴンミラーで反射することによって周期的に偏向させ、ｆθレンズなど走査レンズや折り返しミラーを介して、感光体ドラム表面に結像させ露光走査するものである。
【０００３】
ところが、走査光学系を構成する光学素子は製造ばらつきや光学的特性等により、光反射率および光透過率が厳密には偏向角によって異なるため、光源の光量を一定に維持させても走査光学系の照射光量は偏向角の変化に伴って変動する。この光量の変動は感光体の主走査方向における露光むらの原因となる。
そこで、従来では、光源の光量を一定に維持させた状態で走査光学系に偏向角を変化させたときにその走査範囲に現れる露光量の変動量を求め、このときの変動量を、走査光学系の最大露光範囲（最大偏向範囲）から等分割された複数の区間（以下、「補正区間」という。）のそれぞれの始点もしくは終点（以下、「補正位置」という。）に対応する位置でサンプリングし、各補正位置における露光量の変動量を相殺するための補正量を演算して補正テーブルに格納して、光量むら補正情報としている。
【０００４】
そして、露光走査時に、走査光が各補正位置に到達するタイミングで補正テーブルから対応する補正量を読み出して、光量を補正するように構成されている。
【先行技術文献】
【特許文献】
【０００５】
【特許文献１】特開２００９−２６２３４４号公報
【特許文献２】特開２００８−０３３３１８号公報
【特許文献３】特開２０１１−１５８７６１号公報
【特許文献４】特開２０１１−１５８７６０号公報
【特許文献５】特開２００９−０５３４６６号公報
【発明の概要】
【発明が解決しようとする課題】
【０００６】
ところが、上記従来の方法では、一つの補正位置から次の補正位置までの間は、同じ補正量を利用して光量補正しているため、補正量が階段状になり、補正位置間では真の光量変動量と実際の補正量との間に多少のギャップが生じて、完全に光量むらを相殺しきれない部分が残存する。
もちろん、補正区間を狭くすればするほど（すなわち、補正位置同士の間隔が狭ければ狭いほど）、精度よく主走査方向における光量むらを解消することができるが、そうすると主走査ラインの露光走査ごとに補正量を頻繁に切り換えながら光量補正しなければならない。
【０００７】
しかしながら、通常、光源の駆動回路は、コストダウンのため集積回路としてチップ化されている場合が多く、設計値として、各補正区間の幅が固定され、補正区間の数も限られている。もし、補正区間を狭くして、より多くの補正情報をＩＣチップ内に取り込もうとすると、駆動回路の設計変更を余儀なくされると共に、回路規模が大きくなるため、ＩＣチップの製造コストが増し、ひいては装置全体としてのコストアップが避けられない。
【０００８】
しかし、場合によっては、シート幅が小さく補正位置の数を増加させずともその間隔を狭くして画質をより向上しうる場合や、他の部分の画質が多少劣化しても部分的に画質の向上が望ましい場合もあり、従来のように少ない補正区間を常に固定にして光量補正する方法では、このような多様な要請に応えることができない。
本発明の目的は、上記の事情に鑑み、特に、光源の駆動回路の回路規模を増大させることなく、コストアップを押さえて、形成すべき画像に応じて、部分的に光量補正の精度を上げ、必要な部分における主走査方向の光量むらをより軽減して画質を向上することができる画像形成装置を提供することにある。
【課題を解決するための手段】
【０００９】
上記目的を達成するため、本発明に係る画像形成装置は、画像形成の過程において、感光体の露光走査の工程を含む画像形成装置であって、形成すべき画像に関する画像情報を取得する取得部と、光源の光を周期的に偏向させ、前記感光体を露光走査する露光走査部と、主走査方向における光量むらを補正するための第１の補正情報を記憶する第１の記憶部を有し当該第１の補正情報に基づいて光量を補正しながら前記光源を駆動する光源駆動部と、第１の補正情報よりも、詳細な第２の補正情報を記憶する第２の記憶部と、取得した画像が特定の画像情報の場合に、第２の補正情報から所定数の補正データを抽出して第３の補正情報として設定する設定部と、前記設定部で第３の光量むら補正情報が設定された場合に、第１の補正情報に代えて第３の補正情報を選択して光源の光量を補正するよう前記光源駆動部を制御する制御部とを備えることを特徴とする。
【００１０】
ここで、第１と第２の補正情報は、主走査方向における最大露光範囲を、それぞれ第１と第２の数に分割してなる複数の補正区間の始点もしくは終点を補正位置として、当該補正位置と、当該補正位置において光量補正されるべき量を指標する補正量とを補正データとして含むと共に、前記第２の数が前記第１の数よりも多いこととしてもよい。
また、前記画像情報には、記録シートの主走査方向におけるシート幅に関する情報が含まれ、前記設定部は、画像形成すべきシートのシート幅が、最大のシート幅よりも狭い場合に、当該シート幅に応じて補正位置間の間隔が第１の補正情報よりも狭くなるように、第３の補正情報を設定することとしてもよい。
【００１１】
前記画像情報には、主走査方向における記録シートの通紙位置に関する情報が含まれ、前記設定部は、前記記録シートの通紙位置の相違に応じて、第２の補正情報から抽出すべき補正データの範囲を主走査方向にずらして第３の補正情報を設定することとしてもよい。
前記画像情報には、主走査方向における余白の大きさに関する情報が含まれ、前記設定部は、前記余白の大きさが所定値以上である場合には、前記補正位置が画像領域の走査範囲内に集中して存在するように第３の補正情報を設定することとしてもよい。
【００１２】
前記画像情報は、異なる種類の画像の配置に関する情報を含み、前記設定部は、階調画像の領域と非階調画像の領域が主走査方向において分かれている場合に、階調画像の領域における補正位置間の間隔が、非階調画像の領域における補正位置の間隔よりも狭くなるように第３の補正情報を設定することとしてもよい。
前記設定部は、副走査方向において前記画像情報の条件が異なる領域がある場合に、それらの副走査方向における領域ごとに、異なる第３の補正情報を設定し、前記制御部は、該当する副走査方向の領域ごとに適用すべき前記異なる第３の補正情報を切り換えて光源の光量を補正するよう制御することとしてもよい。
【００１３】
前記第２の記憶部は、第２の補正情報として複数の補正テーブルを有しており、前記設定部は、前記複数の補正テーブルから、画像情報の条件に適合する補正テーブルを選択して、第３の補正情報として設定することとしてもよい。
画像形成のため適用されるべき第１もしくは第３の補正情報を利用して、被転写体上にトナーパターンを形成するトナーパターン形成部と、前記被転写体上に形成されたトナーパターンの画像を読み取る画像読取部と、前記読み取ったトナーパターンの画像について主走査方向における濃度むらを検出し、前記適用されるべき第１もしくは第３の補正情報における補正データの補正量を、前記検出された濃度むらを相殺するように調整する補正量調整部とを備えることとしてもよい。
【００１４】
前記設定部が設定する第３の補正情報における補正データの数は、前記第１の補正情報における補正データの数と等しいとしてもよい。
【発明の効果】
【００１５】
本発明による画像形成装置によれば、特定の画像情報に対しては、より詳細な補正データを含む第２の補正情報から、当該画像情報に応じて補正データを抽出して第３の補正情報を設定し、これにより光量むらを補正するようにしているので、画像情報の特性もしくは種類に応じた柔軟で的確な光量むらの補正を可能にする。しかも、この際、光源駆動部に含まれる第１の補正情報の情報量を増加したりする必要がないので、特に光源駆動部がＩＣチップ化されているような場合、当該光源駆動部の回路規模を増大する必要がなく、コスト的なメリットが大きい。
【図面の簡単な説明】
【００１６】
【図１】本発明の第１の実施形態に係るプリンターの構造を示す図である。
【図２】図１のプリンターにおける光走査部の平面図である。
【図３】図１の示す画像形成装置における電子制御系統のブロック図である。
【図４】図３の示す光走査部における制御部の構成示すブロック図である。
【図５】（ａ）、（ｂ）は、それぞれシート幅に拘わらず補正区間を一定幅に設定する従来における光量補正の方法を説明するための図である。
【図６】（ａ）、（ｂ）は、それぞれ図５の従来の方法によって残存する光量むらの状態を示す図である。
【図７】（ａ）は、本発明の実施の形態における光量むら補正情報Ａの一例を示すテーブルであり、（ｂ）は、光量むら補正曲線におけるそれらの補正ポイントの位置を示すグラフである。
【図８】（ａ）は、本発明の実施の形態における、より詳細な光量むら補正情報Ｂの一例をテーブルであり、（ｂ）は、光量むら補正曲線におけるそれらの補正ポイントの位置を示すグラフである。
【図９】（ａ）は、シート幅に合わせて採用する補正曲線の範囲を狭くすることを説明するための図であり、（ｂ）は、詳細な光量むら補正情報Ｂから、３２個の補正ポイントを抽出して生成した光量むら補正情報Ｃの一例を示すテーブルであり、（ｃ）は、光量むら補正曲線における補正ポイントの位置を示すグラフである。
【図１０】（ａ）、（ｂ）は、Ａ４ＹサイズとＡ５Ｔサイズの記録シートにそれぞれ画像を形成する場合における補正ポイントの位置を対比して示す図である。
【図１１】光走査部の制御部で実行される光量むら補正処理の制御内容を示すフローチャートである。
【図１２】図１１のステップＳ１２の光量むら補正情報設定処理のサブルーチンを示すフローチャートである。
【図１３】制御部のタイミング生成部で生成される信号のタイムチャートである。
【図１４】（ａ）、（ｂ）は、本発明の第２実施の形態における記録シートの幅方向の通紙位置に相違が生じる場合を説明するための図である。
【図１５】（ａ）、（ｂ）は、第２実施の形態において、通紙位置の相違により光量むら補正情報Ｂから選択する補正ポイントが変更されることを説明するためのグラフである。
【図１６】（ａ）（ｂ）は、本発明の第３実施の形態において、画像データの非印字部の範囲に応じて、光量むら補正情報Ｂから選択する補正ポイントの範囲を示す図である。
【図１７】本発明の第３の実施の形態における光量むら補正情報設定処理のサブルーチンを示すフローチャートである。
【図１８】（ａ）、（ｂ）は、本発明の第４実施の形態において、写真画像領域の有無によって選択する光量むら補正情報Ｂから選択される補正ポイントの位置が変更されることを説明するための図である。
【図１９】（ａ）、（ｂ）、（ｃ）は、上記第４実施の形態において１頁内に２つの写真画像領域がある場合に光量むら補正情報Ｂから選択される補正ポイントが途中で切り換えられることを説明するための図である。
【図２０】第４の実施の形態における光量むら補正情報設定処理のサブルーチンを示すフローチャートである。
【図２１】第４の実施の形態において、１頁分の画像データに写真画像領域が含まれていても光量むら補正情報Ａを適用すべき例を説明するための図である。
【図２２】第４の実施の形態において、１頁分の画像データに２つの写真画像領域が含まれており、光量むら補正情報Ａを適用すべき例を説明するための図である。
【図２３】本発明の変形例に係る光走査部の制御部の構成を示す図である。
【図２４】本発明の別の変形例に係る光走査部の制御部の構成を示す図である。
【発明を実施するための形態】
【００１７】
以下、本発明の実施形態について、図面を参照しながら説明する。
＜第１の実施の形態＞
１．画像形成装置の全体構成
以下、本実施の形態における画像形成装置が、電子写真方式のカラープリンター（以下、単に「プリンター」という。）である場合について説明する。
【００１８】
図１は、プリンター１００の内部構造を示す概略図である。
同図に示すように、プリンター１００は、給紙部１０、作像部２０、定着部３０、および排紙部４０とを備える。
（１）給紙部１０
給紙部１０はローラー群１２、１３、１４を利用して給紙カセット１１から記録シートＳＨＴを１枚ずつ作像部２０へ給紙する。
【００１９】
ローラー群の中で最も作像部２０に近いタイミングローラー１４は一般に停止しており、後述の主制御部からの駆動信号に応じて回転する。その駆動信号が示すタイミングでタイミングローラー１４は記録シートＳＨ２を作像部２０へ送り出す。
（２）作像部２０
作像部２０は、給紙部１０から送られた記録シートＳＨ２の上にトナー像を形成する。
【００２０】
具体的には、４つの作像ユニット２１Ｙ、２１Ｍ、２１Ｃ、２１Ｋのそれぞれがまず、感光体ドラム２５Ｙ、２５Ｍ、２５Ｃ、２５Ｋの表面を一様に帯電させた上で、光走査部２６からのレーザー光で各ドラムの表面を主走査方向（図１の示すＸ軸方向（紙面の法線方向））に露光走査させる。
このとき、光走査部２６はレーザー光量を、それぞれイエロー（Ｙ）、マゼンタ（Ｍ）、シアン（Ｃ）、ブラック（Ｋ）の画像データに基づいて変調することにより、各感光体ドラム２５Ｙ〜２５Ｋの表面に静電潜像が形成される。
【００２１】
各静電潜像は、それぞれの色のトナーにより現像され４つの感光体ドラム２５Ｙ〜２５Ｋの各表面に１色ずつのトナー像として再現される。
これら４色のトナー像は、１次転写ローラー２２Ｙ、２２Ｍ、２２Ｃ、２２Ｋと感光体ドラム２５Ｙ〜２５Ｋとの間の電界により、感光体ドラム２５Ｙ〜２５Ｋの表面から順番に中間転写ベルト２３の表面の同じ位置へ重ねて転写される。
【００２２】
その結果、その位置に１つのカラートナー像が構成される。このカラートナー像は更に中間転写ベルト２３と２次転写ローラー２４との間の電界により、給紙部１０から両者２３、２４の間のニップへ通紙された記録シートＳＨ２の表面へ転写される。その後、２次転写ローラー２４はその記録シートＳＨ２を定着部３０へ送り出す。
（３）定着部３０
定着部３０は、作像部２０から送り出された記録シートＳＨ２上にトナー像を熱定着させる。具体的には、定着ローラー３１と加圧ローラー３２との間のニップにその記録シートＳＨ２が通紙されるとき、定着ローラー３１はその記録シートＳＨ２の表面へ内蔵のヒーターの熱を加え、加圧ローラー３２はその記録シートＳＨ２の加熱部分に対して圧力を加えて定着ローラー３１へ押し付ける。定着ローラー３１からの熱と加圧ローラー３２からの圧力とにより、トナー像がその記録シートＳＨ２の表面に定着する。
【００２３】
（４）排紙部４０
排紙部４０は、トナー像が定着した記録シートをプリンター１００の筐体の外へ排紙する。具体的には、まず記録シートＳＨ３が定着部３０の上部からガイド板４１に沿って、プリンター１００の筐体に開けられた水平方向のスリット４２へ向かって移動してくる。このとき排紙部４０は、そのスリット４２の内側に配置された排紙ローラー４３を回転させ、その周面で記録シートＳＨ３をスリット４２の外へ送り出す。これによりこの記録シートＳＨ３は、プリンター１００上面に形成された排紙トレイ４４に収容される。
【００２４】
２．光走査部２６の構成
図２は、光走査部２６の内部構成を示す平面図である。
図２に示すように光走査部２６は、光源部２６０、走査光学系２７１、２７２、２７３、２７Ｙ、２８Ｙ、２７Ｍ、２８Ｍ、２７Ｃ、２８Ｃ、２７Ｋ、および制御部３００を備える。
【００２５】
光源部２６０と走査光学系２７１、…とは、各作像ユニット２１Ｙ〜２１Ｋの感光体ドラム２５Ｙ〜２５Ｋを露光走査する。制御部３００は、光源部２６０の光量を画像データに従って変調する。
（１）光源部
光源部２６０は、４個の半導体レーザー２６Ｙ、２６Ｍ、２６Ｃ、２６Ｋ、４枚のミラー２６１〜２６４、およびシリンドリカルレンズ２６５を含む。
【００２６】
各半導体レーザー２６Ｙ〜２６Ｋはレーザーダイオード等のレーザー発振器ＬＤとフォトダイオード等の光量センサーＰＤとを含む（図４参照）。
レーザー発振器ＬＤは、例えば、波長７８０ｎｍまたは６５５ｎｍのレーザー光を、数ｍＷ〜十数ｍＷの出力で出射可能であり、発光量を変更可能である。光量センサーＰＤはレーザー発振器の発光量を監視して、その発光量に比例する量の出力電流を制御部３００にフィードバックする。
【００２７】
図２に示すように、第１半導体レーザー２６Ｙ、第２半導体レーザー２６Ｍ、および第３半導体レーザー２６Ｋは出射方向が共通であり、その方向に対して垂直な方向に等間隔で配置されている。
一方、第４半導体レーザー２６Ｃは、その出射方向が他の第２半導体レーザー２６Ｙ、２６Ｍ、２６Ｋの出射方向と直交するように配置されている。
【００２８】
図１、図２には示されていないが、４個の半導体レーザー２６Ｙ〜２６Ｋの間ではレーザー光の出射口の高さ（図１では紙面の上下方向の位置であり、図２では紙面の法線方向の位置である。）が異なるので、それらのレーザー光ＬＹ、ＬＭ、ＬＣ、ＬＫの間では光路の高さが異なる。
第１ミラー２６１、第２ミラー２６２、および第３ミラー２６３は、第１半導体レーザー２６Ｙ、第２半導体レーザー２６Ｍ、および第３半導体レーザー２６Ｋの各出射口の前に１枚ずつ、その出射口からのレーザー光ＬＹ、ＬＭ、またはＬＫのみが当たるように配置されている。
【００２９】
いずれのミラー２６１〜２６３も半導体レーザー２６Ｙ〜２６Ｋの出射光ＬＹ〜ＬＫを反射して９０°偏向させる。第４ミラー２６４は他の３枚のミラー２６１〜２６３の反射光と第４半導体レーザー２６Ｃの出射光ＬＣとを同じ方向へ反射するように設置されている。
シリンドリカルレンズ２６５は、第４ミラー２６４の反射光ＬＬを透過させてポリゴンミラー２７１の反射面に照射する。シリンドリカルレンズ２６５は特にその照射光を、ポリゴンミラー２７１の回転軸方向（図１では紙面の上下方向であり、図２では紙面に垂直な方向である。）ではポリゴンミラー２７１の反射面に結像させると共に、その方向と照射方向との両方に直交する方向（図１では紙面の左右方向であり、図２では紙面に平行で、レーザー光ＬＬに対して垂直な方向である。）では平行光に変換する。
【００３０】
（２）走査光学系
走査光学系は、ポリゴンミラー２７１、モーター２７２（図１）、走査レンズ（ｆθレンズ）２７３、および４組の折り返しミラー（２８Ｙ、２９Ｙ）、（２８Ｍ、２９Ｍ）、（２８Ｃ、２９Ｃ）、２８Ｋを含む。
ポリゴンミラー２７１は、正多角柱（図２の例では正７角柱）状の部材であり、いずれの側面も反射面である。モーター２７２はポリゴンミラー２７１に駆動力を与えてその中心軸の回りに等速回転させる。
【００３１】
ポリゴンミラー２７１は、光源部２６０のレーザー光ＬＬを反射して偏向させると共に、回転によってそのレーザー光ＬＬと反射光ＲＬとの進行方向が成す角度、すなわちレーザー光ＬＬの偏向角を変化させる。
具体的には、ポリゴンミラー２７１が回転角θだけ回転する間に偏向角はその２倍の角度２θだけ変化する。さらに、回転に伴ってポリゴンミラー２７１の反射面が１つの側面から隣の側面へ周期的に移り変わることにより、偏向角は最小値φLから最大値φRまでの範囲で連続的に、かつ周期的に変化する。
【００３２】
特に、ポリゴンミラー２７１が等速度で回転する場合、偏向角は、最大値φRから最小値φLへは一定の速度で変化し、最小値φLから最大値φRへは瞬間的に変化する。
ｆθレンズ２７３は、ポリゴンミラー２７１の反射光ＲＬを透過して折り返しミラー２８Ｙ、２８Ｍ、２８Ｃ、２８Ｋへ照射するように配置されている。第１折り返しミラー２８Ｙ、２９Ｙ、第２折り返しミラー２８Ｍ、２９Ｍ、第３折り返しミラー２８Ｃ、２９Ｃ、および第４折り返しミラー２８Ｋはいずれも細長い板状であり、図１、図２に示されているとおり、長手方向が感光体ドラム２５Ｙ〜２５Ｋの軸方向と平行に配置されている。図１を参照するに、第１折り返しミラーの一方２８Ｙ、第２折り返しミラーの一方２８Ｍ、第３折り返しミラーの一方２８Ｃ、および第４折り返しミラー２８Ｋの間では高さ（図１では紙面の上下方向の位置であり、図２では紙面に垂直な方向における位置である。）が異なる。これにより、異なる折り返しミラー２８Ｙ〜２８Ｋには、ポリゴンミラー２７１の反射光ＲＬの含む異なる半導体レーザー２６Ｙ〜２６Ｋの出射光ＬＹ〜ＬＫのみが当たる。第１折り返しミラーの他方２９Ｙ、第２折り返しミラーの他方２９Ｍ、第３折り返しミラーの他方２９Ｃ、および第４折り返しミラー２８Ｋは各感光体ドラム２５Ｙ〜２５Ｋの真下に１枚ずつ配置されている。
【００３３】
第１半導体レーザー２６Ｙの出射光ＬＹは、ポリゴンミラー２７１で反射されてｆθレンズ２７３を透過した後、第１折り返しミラー２８Ｙ、２９Ｙに反射されて第１作像ユニット２１Ｙの感光体ドラム２５Ｙに照射される。同様に、第２半導体レーザー２６Ｍの出射光ＬＭは第２折り返しミラー２８Ｍ、２９Ｍに反射されて第２作像ユニット２１Ｍの感光体ドラム２５Ｍに照射され、第３半導体レーザー２６Ｃの出射光ＬＣは第３折り返しミラー２８Ｃ、２９Ｃに反射されて第３作像ユニット２１Ｃの感光体ドラム２５Ｃに照射され、第４半導体レーザー２６Ｋの出射光ＬＫは第４折り返しミラー２８Ｋに反射されて第４作像ユニット２１Ｋの感光体ドラム２５Ｋに照射される。
【００３４】
ｆθレンズ２７３は、例えば、２枚の非球面レンズから構成され、ポリゴンミラー２７１の反射光ＲＬを各感光体ドラム２５Ｙ〜２５Ｋの表面で結像させる。これにより、その表面の結像点が露光される。
ポリゴンミラー２７１が回転によって偏向角を変化させると、それに合わせてｆθレンズ２７３の透過光が折り返しミラー２８Ｙ、…、２８Ｋの上を長手方向に移動する。
【００３５】
特に、ポリゴンミラー２７１の偏向角が最小値φLから最大値φRまで連続的に変化する期間に４つの感光体ドラム２５Ｙ〜２５Ｋのいずれかの表面を結像点が一方向に露光走査する結果、その表面の露光点が直線状に連なって静電潜像の主走査方向の１ラインを形成する。
この１ラインを形成する期間を、以下、この期間を「主走査期間」という。
【００３６】
ｆθレンズ２７３は、ポリゴンミラー２７１の偏向角の変化量と、その変化に伴う透過光の結像点の移動距離とを比例させる機能を有する。したがって、ポリゴンミラー２７１の偏向角が最小値φLから角度２θまで変化するとき、それに伴ってｆθレンズ２７３の透過光の反射点が折り返しミラー２８Ｙ〜２８Ｋの上を移動する。
このときの移動距離ρＹ、ρＭ、ρＣ、ρＫはｆθレンズ２７３の特性により、ポリゴンミラー２７１の反射光ＲＬがｆθレンズ２７３に入射する角度の変化量、すなわちポリゴンミラー２７１の偏向角の変化量２θに比例する。
【００３７】
これらの移動距離ρＹ〜ρＫは、各感光体ドラム２５Ｙ〜２５Ｋの表面における結像点の移動距離に比例し、ポリゴンミラー２７１の偏向角の変化量２θはその回転角の変化量θに比例するので、結像点の主走査方向の位置とポリゴンミラー２７１の回転角との間の線形性が確立される。特にポリゴンミラー２７１が一定の各速度で回転するときには各感光体ドラム２５Ｙ〜２５の表面を結像点が主走査方向に等速度で移動する。
【００３８】
（３）制御部３００
制御部３００は、光源部２６０の含む４個の半導体レーザー２６Ｙ〜２６Ｋに対する発光制御専用の電子回路である。
制御部３００は、第１ミラー３０１、第２ミラー３０２を介して、走査開始（ＳＯＳ）センサー３０３にレーザー光が入射されると、これをトリガーとして各半導体レーザーによる書き込みのタイミングを決定する。
【００３９】
制御部３００は、その他に、半導体レーザー２６Ｙ〜２６Ｋからフィードバックされるレーザー光ＬＹ〜ＬＫの光量をサンプリングし、そのサンプルに基づいて半導体レーザー２６Ｙ〜２６Ｋの発光量を調節する。
このとき制御部３００は更にポリゴンミラー２７１の偏向角ごとに半導体レーザー２６Ｙ〜２６Ｋの発光量を補正する。発光量の調節および補正の詳細については後述する。
【００４０】
３．画像形成装置の電子制御系
図３は、プリンター１００の電子制御系統の構成を示すブロック図である。
同図に示すように、この電子制御系統では、給紙部１０、作像部２０、定着部３０に加えて操作部５０と主制御部６０とがバス９０を通して互いに通信可能に接続されている。
操作部５０は、操作パネル５１、メモリインタフェース（Ｉ／Ｆ）５２、およびネットワーク（ＬＡＮ）Ｉ／Ｆ５３を含む。
【００４１】
操作パネル５１は、押しボタン、タッチパネル、およびディスプレイを含む。操作パネル５１は、操作画面および各種パラメーターの入力画面等のＧＵＩ画面をディスプレイに表示する。操作パネル５１はまた、ユーザーが操作した押しボタンまたはタッチパネルの位置を識別し、その識別に関する情報を操作情報として主制御部６０へ伝える。
メモリＩ／Ｆ５２はＵＳＢポートまたはメモリカードスロットを含み、それらを通してＵＳＢメモリーまたはハードディスクドライブ（ＨＤＤ）等の外付けの記憶装置から直に印刷対象の画像データを取り込む。
【００４２】
ＬＡＮ・Ｉ／Ｆ５３は外部のネットワークＮＴＷに有線または無線で接続され、そのネットワークＮＴＷに接続された他の電子機器から印刷対象の画像データを受信する。
主制御部６０は、ＣＰＵ６１、ＲＡＭ６２、およびＲＯＭ６３を含む。
ＣＰＵ６１は、ファームウェアに従って、バス９０に接続された他の要素１０、２０、…を制御する。
【００４３】
ＲＡＭ６２は、ＣＰＵ６１がファームウェアを実行する際の作業領域をＣＰＵ６１に提供すると共に、操作部５０が受け付けた印刷対象の画像データを保存する。
ＲＯＭ６３は、書き込み不可の半導体メモリー装置と、ＥＥＰＲＯＭ等の書き換え可能な半導体メモリー装置またはＨＤＤとを含む。前者はファームウェアを格納し、後者はＣＰＵ６１に環境変数等の保存領域を提供する。
【００４４】
ＣＰＵ６１が各種ファームウェアを実行することにより、主制御部６０は操作部５０からの操作情報に基づき、まずプリンター１００内の他の要素を制御する。
具体的には、主制御部６０は操作部５０に操作画面を表示させてユーザーによる操作を受け付けさせる。
この操作に応じて主制御部６０は、稼動モード、待機モード、スリープモード等の動作モードを決定し、その動作モードを他の要素へ駆動信号で通知して、その動作モードに応じた処理を各要素に実行させる。
【００４５】
例えば、操作部５０がユーザーから印刷ジョブを受け付けたとき、主制御部６０は、まず操作部５０に印刷対象の画像データをＲＡＭ６２へ転送させる。
主制御部６０は次に、その印刷ジョブの示す印刷条件に従って、給紙部１０には給送すべき記録シートの種類とその給送のタイミングとを指定し、作像部２０には形成すべきトナー像を表す画像データを提供すると共に、定着部３０の定着ローラーの温度を制御する。なお、印刷条件と画像データを併せて、本明細書では、単に「画像情報」という場合もある。
【００４６】
４．光走査部の制御部の構成
図４は、光走査部２６の制御部３００のうち、半導体レーザー２６Ｙの駆動を制御する制御部３００Ｙの構成を示すブロック図である。
同図に示すように、制御部３００Ｙは、ＬＤ駆動部３１０、第１の光量むら補正情報記憶部３２０、第２の光量むら補正情報記憶部３３０および光量むら補正情報設定部３４０などからなる。
【００４７】
（１）ＬＤ駆動部３１０
ＬＤ駆動部３１０は、第１半導体レーザー２６Ｙに供給する電流ＩＯＰを制御する。
ＬＤ駆動部３１０は、抵抗３１１、光量基準電圧源３１２、差動増幅器３１３、スイッチ部３１４、キャパシタ３１５、および電圧電流（Ｖ−Ｉ）変換器３１６、光量むら補正ＤＡＣ（ディジタル／アナログコンバーター）３１７、スイッチング部３１８、タイミング生成部３１９および第１の光量むら補正情報記憶部３２０を含み、光量基準電圧源３１２を除き、各素子は、集積回路としてチップ化されている。
【００４８】
抵抗３１１は、光量センサーＰＤの出力端子と接地導体との間に接続されている。当該抵抗３１１における電圧降下量ＶＦＢは、光量センサーＰＤの出力電流ＩＦＢに比例するので、レーザー発振器ＬＤの発光量に比例する。
光量基準電圧３１２は、定電圧源であり、その出力電圧ＶＲＭは、レーザー発振器ＬＤの発光量を所定の一定値に維持するためのものである。
【００４９】
差動増幅器３１３の２つの入力端子の一方は光量センサーＰＤの出力端子に接続され、他方は光量基準電圧３１２に接続されている。
これにより差動増幅器３１３は、抵抗３１１の電圧降下量ＶＦＢと光量基準電圧３１２の出力電圧ＶＲＭとの間の差に比例する量の電流ＩＳＨを出力する。
両電圧ＶＦＢ、ＶＲＭ間の差は、レーザー発振器ＬＤの発光量とその基準値との間の差に比例するので、出力電流ＩＳＨの量は、その発光量と基準値との間の差に比例し、方向はその差の符号を表す。
【００５０】
サンプル／ホールド部（ＳＨ部）３１４は、タイミング生成部３１９からの指示信号ＳＨＳにより切り換えられて、差動増幅器３１３の出力端子とキャパシタ３１５の一端との間を接続し、または切断する。
タイミング生成部３１９からの指示信号ＳＨＳは、主走査期間ごとに所定のタイミングで出力されるので、その時間帯ごとにＳＨ部３１４は閉じて差動増幅器３１３の出力端子とキャパシタ３１５の一端との間の接続を維持する。
【００５１】
キャパシタ３１５は予め所定量の電荷を保持しているので、その両端間電圧ＶＣＨは、ＳＨ部３１４が開いている間は所定値に維持（ホールド）される。ＳＨ部３１４が閉じたとき、キャパシタ３１５は差動増幅器３１３の出力電流ＩＳＨによって充放電するので、その両端間電圧ＶＣＨが変動する。その変動の量は出力電流ＩＳＨの量で決まり、その変動の極性は出力電流ＩＳＨの方向で決まる。
【００５２】
ＶＩ変換器３１６は出力電流ＩＲＥＦの量をキャパシタ３１５の両端間電圧ＶＣＨに比例させる。この出力電流ＩＲＥＦの量でレーザー発振器ＬＤの発光量の基準値が決まる。
差動増幅器３１３の出力電流ＩＳＨの変化に従ってキャパシタ３１５の両端間電圧ＶＣＨが変動するとき、ＶＩ変換器３１６はその変動に応じて出力電流ＩＲＥＦの量を変化させる。
【００５３】
特に、差動増幅器３１３の出力電流ＩＳＨはレーザー発振器ＬＤの発光量とその基準値との間の差に対応しているので、ＶＩ変換器３１６はその差を相殺するように出力電流ＩＲＥＦの量を調節する。この出力電流をそのままレーザー発振器ＬＤに出力すれば、発光量が一定になるが、上述の通り、走査光学系を介することにより、感光体ドラム表面に到達する光量において主走査方向にムラが発生するので、予め光量むら補正ＤＡＣ３１７により出力電流を補正する。
【００５４】
光量むら補正ＤＡＣ３１７には、タイミング生成部３１９から補正のタイミングを示す光量むら補正タイミング信号ＴＭＳと、光量むら補正情報設定部３４０の指示を受けて動作するスイッチ３２２を介して、第１の光量むら補正情報記憶部３２０に記憶されている光量むら補正情報Ａと、光量補正情報Ｂに基づき光量むら補正情報設定部３４０で生成された光量むら補正情報Ｃとが、所定の条件により切り換えられて入力されている。
【００５５】
光量むら補正ＤＡＣ３１７は、タイミング信号ＴＭＳが立ち上がる度に、現在切り換えられている入力されている光量むら補正情報Ａ（もしくはＣ）から光量むら補正量を読み出して、次のタイミング信号ＴＭＳが次に立ち上がるまでその補正量の示す割合でＶＩ変換器３１６の出力電流ＩＲＥＦを増幅する。
これにより、ポリゴンミラー２７１の偏向角が各補正区間を移動する間、光量むら補正ＤＡＣ３１７の電流増幅率は、その補正区間における補正量に維持される。
【００５６】
増幅前の電流ＩＲＥＦは、ＳＨ部３１４によってレーザー発振器ＬＤの発光量がその基準値に一致するように調節されているので、増幅後の電流ＩＲＥＶは、レーザー発振器ＬＤの発光量を基準値から、仮にその発光量が基準値に維持されていれば現出する光量の変動を相殺するように変化させるのに必要な量となる。
なお、光量むら補正情報Ａ〜Ｃの内容並びにタイミング生成部３１９と光量むら補正情報設定部３４０の動作については、後に詳述する。
【００５７】
スイッチング部３１８は、その開閉により光量むら補正ＤＡＣ３１７からレーザー発振器ＬＤへ供給される電流ＩＯＰを導通させ、または遮断する。スイッチング部３１８は更にその開閉動作に同期させて、ビデオデータ（ＶＩＤＥＯ）ＶＤＳの表すＹの階調値に基づいてバイアス電流を重畳させて変調させた後、半導体レーザー２６Ｙに出力してＹの静電潜像を感光体ドラム上に形成させる。
【００５８】
（２）第１の光量むら補正情報記憶部３２０
走査光学系に起因して生じる主走査方向における光量むらが、出荷時などにおいて検出され、これによりこの光量むらを相殺して補正するための光量補正曲線が取得できる。
以下、本明細書においては、説明の便宜上、この光量補正曲線が、図５（ａ）のＬ１に示すようにｓｉｎカーブで表される場合をモデルケースとして説明する。
【００５９】
図４における第１の光量むら補正情報記憶部３２０には、光量むら補正情報Ａを含む補正テーブル３２１が格納されている。
この光量むら補正情報Ａは、最大露光範囲（本実施の形態ではＡ４Ｙサイズのときの通紙幅に対応する露光範囲であり、偏向角が、−１５０°〜＋１５０°の範囲に設定されている。）を、３１等分した補正区間を設定し、この偏向範囲の両端および、その中間にある各補正区間の始点（露光走査方向の上流側の位置）を補正位置とし、計３２個の光量むら補正位置とその位置における光量むら補正量が、それぞれ光量むら補正位置Ａ、光量むら補正量Ａとして対応付けられ補正テーブル３２１に格納されている。
【００６０】
なお、Ａ４Ｙサイズとは、Ａ４サイズの記録シートが横通し（記録シートの長手方向がシート搬送方向と直交した状態）されることを意味する。これに対し、例えば、Ａ４Ｔサイズとは、Ａ４サイズの記録シートが縦通し（記録シートの長手方向が搬送方向と平行な状態）されることを意味する。以下、他のサイズについても同様。
また、個々の光量むら補正位置とその位置における光量むら補正量を補正データといい、それらの集合体を光量むら補正情報という。
【００６１】
図７（ａ）に、補正テーブル３２１内の光量むら補正情報Ａの内容を示す。
この補正テーブル３２１では、レーザービームの偏向角で示された光量むら補正位置Ａと、そのときの光量むら補正量Ａが対応付けられており、露光走査開始点に近い方から順に補正ポイント番号とテーブル上のアドレスが付されている。
ここでは、光量むら補正位置Ａは、ポリゴンミラー２７１によりレーザービームの偏向角で示されている（偏向範囲の中心を０として、正負の偏向角で示している。）。また、光量むら補正量Ａは、レーザー発振器ＬＤの発光量に対する補正値として維持すべき値を、その発光量の基準値に対する補正後の発光量の割合で規定している。
【００６２】
図５（ｂ）は、実際の理想的な光量むら補正曲線Ｌ１における、光量むら補正位置Ａ（横軸）と光量むら補正量Ａ（縦軸）との関係を示すグラフである。
上述したようにＬＤ駆動部３１０は、各光量むら補正位置における光量むら補正量が、次の光量むら補正位置に到るまで補正量として維持するように構成されているため、実際の光量むら補正量は、図５（ａ）のＬ２のような階段状になってしまう。
【００６３】
これにより補正したときの実際の主走査方向の光量むらを測定すると、図６（ｂ）のＬ４のように、光量がぎざぎざに変動する部分が残る。この変動量は、補正しなかった場合の感光体（ＰＣ）露光むらを示す曲線Ｌ３で示す変動量よりかなり小さいので許容範囲とみなされる。
しかも、補正量の切り換えも１走査につき３２回で済むので、ＬＤ駆動部３１０の負担が少なく回路規模、消費電力も少なくできるという利点がある。
【００６４】
しかし、従来では、各補正区間の幅を一定していたため、例えば、図５（ｂ）に示すようにシート幅が、Ａ５Ｔサイズの場合でも、補正区間を変更せずにＡ５Ｔサイズの１走査当りの補正ポイントが約１６個となる。そのため、図６（ｂ）のＬ４’に示すように発生する光量むらの程度が図６（ａ）の場合（Ｌ４）と同じになってしまう。
これでは、せっかく、３２点まで補正位置の設定が可能なようにＬＤ駆動部３１０を設計したのに有効利用されていないことになる。
【００６５】
そこで、本実施の形態では、詳細な光量むら補正情報Ｃを別途用意して第２の光量むら補正情報記憶部３３０に格納しておき、主走査方向における記録シートの幅（以下では、単に「シート幅」という。）が、最大シート幅よりも小さなシート幅の場合には、補正区間を狭くして、より細かく光量むら補正が実行できるようにしている。
（３）第２の光量むら補正情報記憶部３３０
第２の光量むら補正情報記憶部３３０には、光量むら補正情報Ｃを含む補正テーブル３３１が格納されている。
【００６６】
この光量むら補正情報Ｃは、最大露光範囲を９９９等分した補正区間を設定し、この露光範囲の両端の位置および、その中間にある各補正区間の最初の位置を補正位置とし、計１０００個の補正位置とその位置における補正量が、それぞれ光量むら補正位置Ｃ、光量むら補正量Ｃとして対応付けられ補正テーブル３３１内に格納される。
図８（ａ）は、この補正テーブル３３１の一例を示す図であり、図８（ｂ）は、実際の理想的な光量むら補正曲線Ｌ１における、補正ポイント番号１〜１０００に対応した光量むら補正位置Ｃ（横軸）と光量むら補正量Ｃ（縦軸）との関係を示すグラフである。
【００６７】
図８（ａ）に示すように、補正テーブル３３１では、光量むらの補正位置Ｃは、最大露光範囲に対応する偏向角−１５０°〜＋１５０°までの間に等間隔に１０００点設定され、その各補正位置における光量むら補正量Ｃが理想的な光量むら補正曲線Ｌ１により求められて対応付けられている。そして、補正テーブルの上から順番に補正ポイント番号と補正テーブル上のアドレスが１から１０００まで付されている。
【００６８】
（４）光量むら補正情報設定部３４０
光量むら補正情報設定部３４０（図４参照）には、光量むら補正情報選択部３４１と補正テーブル３４２が含まれる。
光量むら補正情報選択部３４１は、主制御部６０（図２参照）から、次に形成すべき画像情報を主制御部６０から取得して、これを解析し、ＬＤ駆動部３１０を駆動するための光量むら補正情報を選択する。
【００６９】
取得した画像情報には、画像データのほかにシートサイズに関する情報等も含まれており、光量むら補正情報選択部３４１は、当該シート幅に関する情報に基づいて光量むら補正情報Ａ，Ｃのどちらかを選択し、光量むら補正情報Ｃを選択した場合には、シート幅に応じた光量むら補正位置Ｂとそれに対応する光量むら補正量Ｂとからなる光量むら補正情報Ｂを作成して補正テーブル３４２内に格納する。
【００７０】
給紙部１０がセンター基準通紙構成（搬送路の幅方向の中心と記録シートの幅方向の中心を一致させて通紙する構成）の場合において、記録シートが、例えばＡ５Ｔサイズのような場合には、画像情報の露光幅は、最大記録シートの露光幅（最大露光幅）に対して、図９（ａ）に示すようにＳ１からＳ２までの位置に縮小されるので、第２の光量むら補正情報記憶部３３０の光量むら補正情報Ｃから、当該Ｓ１−Ｓ２間にできるだけ均等に存する３２個の光量むら補正位置を抽出し、当該補正位置に対応する光量むら補正量を取得するようにすればよい。
【００７１】
図９（ｂ）は、補正テーブル３４２の一例を示す図である。
露光開始位置Ｓ１および露光終了位置Ｓ２は、画像情報における画像データのメモリー上でのアドレスに基づいて求められる。
ここで、補正テーブル３４２における補正ポイント番号Ｎ（Ｎ＝１〜３２）に対応する補正テーブル３３１内のアドレス番号Ｍｎは、最大露光幅をＷｍａｘ、形成すべき画像の露光幅をＷ１とすれば次式で概算的に求められる。
【００７２】
Ｍｎ＝[Ｍ１＋（Ｗ１／Ｗｍａｘ）×（９９９／３１）×（Ｎ−１）]     ：（式１）
なお、Ｍ１は、光量むら補正位置情報Ｃの補正テーブルにおいて、露光開始位置Ｓ１に一番近い補正位置を示すアドレス番号であり、本例では「２５０」となっている。
また、ここで、[ｆ（ｘ）]は、その内部の関数ｆ（ｘ）の演算結果の整数値を示す記号であるものと定義する（例えば、小数点以下を四捨五入した結果を示す。）。
【００７３】
このようにして光量むら補正情報Ｃから、補正テーブル３４２の補正ポイント番号Ｎに対応する光量むら補正情報Ｃの補正テーブル３３１におけるアドレスが求められるので、第２の光量むら補正情報記憶部３３０の補正テーブル３３１から当該アドレスに対応する光量むら補正量位置と光量むら補正量を読み出して、光量むら補正情報Ｂとして補正テーブル３４２に格納することにより形成される（図９（ｂ））。
【００７４】
図９（ｃ）は、このＡ５Ｔサイズの露光幅において、真の補正曲線Ｌ１に対して３２個の補正ポイントが設定されている状態を示すグラフである。
そして、図１０（ａ）（ｂ）は、それぞれ最大シート幅であるＡ４Ｙサイズと、その半分のシート幅であるＡ５Ｔサイズにおける補正位置を比較して示す図である。
同じ３２箇所の補正位置でありながら、図１０（ｂ）に示すように、主走査方向における光量むら補正情報Ｂの補正位置の密度が高くなっているのがよく分かる。
【００７５】
補正位置の密度が高ければ、それだけ、真の光量むら補正曲線に近づき、光量むらの補正精度が向上するのは言うまでもない。
（５）光量むら補正処理のフローチャート
図１１は、制御部３００Ｙで実行される光量むら補正処理の内容を示すフローチャートである。
【００７６】
まず、制御部３００Ｙの光量むら補正情報設定部３４０は、主制御部６０から画像情報を取得し（ステップＳ１１）、この画像情報に基づき、光量むら補正情報設定処理を実行する（ステップＳ１２）。
図１２は、上記ステップＳ１２の光量むら補正情報設定処理のサブルーチンを示すフローチャートである。
【００７７】
まず、画像情報から、次に画像形成すべき記録シートのシート幅が最大幅か否かを判定する（ステップＳ１０１）。
もし、シート幅が最大幅（本実施の形態ではＡ４Ｙサイズ）であれば（ステップＳ１０１でＹＥＳ）、光量むら補正情報として、第１補正テーブル３２１内の光量むら補正情報Ａを選択する（ステップＳ１０２）。
【００７８】
光量むら補正情報設定部３４０は、第１の光量むら補正情報記憶部３２０内の光量むら補正情報Ａにおける光量むら補正位置Ａ、光量むら補正量Ａの各補正データがタイミング生成部３１９、光量むら補正ＤＡＣ３１７にそれぞれ送られるようにスイッチ３２２，３２３を切り換える処理を行う。
もし、シート幅が最大幅ではない場合には（ステップＳ１０１でＮＯ）、光量むら補正情報設定部３４０は、第２の光量むら補正情報記憶部３３０の第２補正テーブル３３１に格納されている光量むら補正位置Ｃにおける１０００個の補正位置情報のうち、当該記録シートの露光走査範囲内であって、かつ、ほぼ等間隔に位置する３２個の補正位置を抽出する（ステップＳ１０３）。この３２個の補正位置は、具体的には、前述の（式１）によって定まる。
【００７９】
光量むら補正情報設定部３４０は、第２補正テーブル３３１から抽出された上記３２個の補正位置と、当該補正位置に対応する補正量を読み出して、光量むら補正情報Ｂを生成し（ステップＳ１０４）、第３補正テーブル３４２内に格納して、これを最終的な光量むら補正情報として選択する（ステップＳ１０５）。
そして、光量むら補正情報設定部３４０は、第３補正テーブル３４２の情報がタイミング生成部３１９、光量むら補正ＤＡＣ３１７にそれぞれ送られるようにスイッチ３２２、３２３を切り換える。
【００８０】
その後、図１１のフローチャートにリターンする。
ステップＳ１２において、シート幅に応じた光量むら補正情報が設定されると、次に、露光開始のタイミングであるか否かを判定する（ステップＳ１３）。
露光開始のタイミングは、描画すべき画像データのメモリー上のアドレスによって決定される。
【００８１】
露光開始のタイミングであると判断されると（ステップＳ１３でＹＥＳ）、シート幅に応じて、上記光量むら補正情報設定部３４０で選択された光量むら補正情報ＡもしくはＢに基づき、上述の要領により光量を補正しつつ主走査ラインを露光走査していく（ステップＳ１４）。
具体的に、タイミング生成部３１９には、ステップＳ１２で設定された光量むら補正情報（第１補正テーブル３２１もしくは第３補正テーブル３４２）のうち、スイッチ３２２を介して光量むら補正情報設定部３４０から光量むら補正位置ＡもしくはＢの情報が与えられている。
【００８２】
タイミング生成部３１９には、ＳＯＳ信号と基準クロックＣＬＫが入力されており、ＳＯＳ信号を受信してからの基準クロックのカウント数と光量むら補正位置との対応関係を示すテーブルを内部に有しており、補正テーブルの補正ポイント番号を１から順に参照し、クロック数がその光量むら補正位置に対応するカウントになると、選択された補正テーブルの当該補正ポイントに対応した光量むら補正量が光量むら補正ＤＡＣ３１７により読込まれて当該補正位置における光量むら補正が実行される。
【００８３】
図１３は、制御部３００Ｙで実行される光量むら補正のタイムチャートを示す。
ＳＯＳ信号を受信すると、基準クロックのカウントが開始され、本例ではカウントが７のときに露光開始信号（ＳＨ信号）がＯＮになりメモリーから画像データが読み出されて感光体ドラムへの露光走査が開始される。そして、クロックのカウント数が最初の補正ポイント番号「１」のタイミングになると、タイミング信号ＴＭＳがＯＮとなり、当該補正ポイント番号に対応する光量むら補正量が読み出されて、第３補正テーブル３４２から補正ポイント番号「１」の光量むら補正量が読み出されて、光量むら補正ＤＡＣ３１７に与えられる。光量むら補正ＤＡＣ３１７は、当該補正量に応じた倍率で電流ＩＲＥＦを増幅して、電流ＩＲＥＶとして出力する。そして、スイッチング部３１８によりビデオ信号により変調され、レーザー半導体２６Ｙを駆動する。
【００８４】
クロックのカウント数が次の補正ポイント番号「２」の補正位置のタイミングを示すと、当該補正ポイント番号に対応する光量むら補正量が読み出されて、その値によって光量が補正され、以下同様にして光量の補正が繰り返され、ＳＨ信号がＯＦＦになると１ライン分の露光走査を終了し、光量むら補正も終了する。
この動作を１ラインの露光走査ごとに、１頁分の露光走査が終了するまで繰り返し（ステップＳ１５でＮＯ、ステップＳ１３、１４）、１頁分の露光走査が終了すると（ステップＳ１５でＹＥＳ）、次の頁の有無を判断し（ステップＳ１６）、次の頁があれば（ステップＳ１６でＹＥＳ）、ステップＳ１１からステップＳ１５までの動作を繰り返し、次頁の画像がなければ（ステップＳ１６でＮＯ）、光量むら補正を含む露光走査処理を終了する。
【００８５】
このように、本実施の形態では、画像情報に応じて、（ａ）光量むら補正情報Ａか、光量むら補正情報Ｃから作成した補正位置の数が光量むら補正情報Ａと同じありながら部分的に密度の異なる光量むら補正情報Ｂのどちらかを選択して、（ｂ）ＬＤ駆動部３１０に選択された光量むら補正情報を入力して光量補正するようになっている。
最近では、プリンター１００内におけるメモリー容量は一般的に増えており、上記（ａ）の構成は、既存の主制御部６０のＣＰＵ６１とＲＯＭ６３（図３参照）を利用してソフトウェア的に処理できるので、部品のコストアップとはならない。一方（ｂ）のように、ＬＤ駆動部３１０は、第１の光量むら補正情報記憶部３２０の内容はそのままで、光量むら補正情報設定部３４０により指示されたときに、第１の光量むら補正情報記憶部３２０に代えて第３補正テーブル３４２に記憶された内容で光量補正を実行するだけなので、機種ごとにＬＤ駆動部３１０のスペックを変更することなく汎用品を使用することができ、コストアップにはならない。
【００８６】
すなわち、本実施の形態によれば、ＬＤ駆動部３１０のＩＣチップの回路規模の拡大・変更によるコストアップの増大を回避しつつ、必要な部位の画像品質を向上させることを可能となる。
（６）第１の実施の形態における変形例
上記では、センター基準通紙構造において、シート幅が最大幅より小さい場合における光量むら補正情報の修正について説明したが、同じ小サイズの記録シートであっても選択する給紙口によってシート幅方向の位置が異なって給紙されるような場合もある。
【００８７】
例えば、給紙カセットから給紙する場合にはセンター基準通紙であるが、手差記録シートレイから給紙する機能を有する機種では、手差記録シートレイの奥側のガイドによる片側基準通紙とする場合も少なくない。
図１４（ａ）は、例えば、Ｂ５Ｙサイズの記録シートについて、センター規準通紙の場合のシート幅方向の位置を示し、図１４（ｂ）は、同サイズの記録シートを片側基準通紙した場合のシート幅方向の位置を示している。
【００８８】
図１５（ａ）（ｂ）は、それぞれ図１４（ａ）（ｂ）に対応して、光量むら補正情報Ｃから選択する３２個の光量むら補正位置の範囲がずれていることを示す。
主制御部５０からの画像情報には、記録シートサイズと給紙口に関する情報（すなわち通紙位置に関する情報）が含まれており、光量むら補正情報設定部３４０（図４）は、上記情報に基づいて、露光開始位置Ｓ１および露光終了位置Ｓ２を特定し、この露光開始位置とシート幅に合わせて第２の光量むら補正情報記憶部３３０における光量むら補正情報Ｃから、３２個の補正位置とその補正量を抽出して光量むら補正情報Ｂを作成する。
【００８９】
ＬＤ駆動部３１０は、この第３補正テーブル３４２に基づき、光量むらを補正しながら露光走査を実行する。
従って、この変形例における光量むら補正処理においては、図１２のステップＳ１０３において、図１５（ａ）の場合と図１５（ｂ）の場合とで、露光範囲と抽出する補正位置の範囲が主走査方向にずれるだけなので、特にフローチャートは示していない。
【００９０】
なお、以上では、光走査部２６におけるＹの現像色の制御部３００Ｙ、およびＬＤ駆動部３１０の構成と光量むら補正処理の内容について説明してきたが、他の現像色Ｃ、Ｍ、Ｋにおける制御部およびＬＤ駆動部の構成および制御内容も上記と同様なので説明を省略する。以下の実施の形態もしくは変形例の説明においても同じである。
＜第２の実施の形態＞
この第２実施の形態では、第１実施の形態のようにシート幅の大小によって光量むら補正情報の内容を変更するのではなく、画像データの余白の有無によって光量むら補正情報を変更する点が異なる。
【００９１】
図１６（ａ）（ｂ）は、本実施の形態が適用される典型的な例を説明するための図である。
図１６（ａ）に示すように、画像データが、１頁内で主走査方向に印字領域ａ１と非印字領域（余白領域）ａ２に分かれている場合には、非印字領域ａ２は、露光走査されないので、その範囲における光量むらの補正も不要となり、あたかも、第１実施の形態で印字領域ａ１の幅の記録シートを露光するような場合と同じに考えることができる。
【００９２】
そこで、図１６（ｂ）の光量むら補正情報のグラフに示すように光量むら補正位置を印字領域ａ１の範囲に集中して設定すればよい。
図１７は、本実施の形態における露光操作制御に関する図１１のステップＳ１２の光量むら補正情報設定処理のサブルーチンを示すフローチャートである。ここでは、説明の便宜上、シート幅が最大サイズの場合におけるサブルーチンが開示されている。
【００９３】
まず、画像情報から、次に画像形成すべき画像データのうち主走査方向における非印字領域が所定幅以上（例えば、シート幅の１５％以上）有るか否か判定する（ステップＳ１０１）。非印字領域が所定幅より小さければ、印字領域に光量むら補正情報をそれほど集中せず、光量むら補正情報Ａによる通常の補正の場合とほとんど差が生じないので、本実施の形態ではこのように判断している。なお、非印字領域は主走査領域に２カ所以上あってもよくそれらの主走査方向における幅の総和が所定幅以上であればよい。
【００９４】
もし、主走査方向における非印字領域の幅が所定値未満の場合には（ステップＳ２０１でＮＯ）、通常の第１の光量むら補正情報記憶部３２０における光量むら補正情報Ａを選択する（ステップＳ２０２）。
具体的に、光量むら補正情報設定部３４０は、第１の光量むら補正情報記憶部３２０の第１補正テーブル３２１の情報がタイミング生成部３１９、光量むら補正ＤＡＣ３１７にそれぞれ送られるようにスイッチ３２２，３２３を切り換える処理を行う。
【００９５】
もし、主走査方向における非印字領域の幅が所定値未満の場合には（ステップＳ２０１でＹＥＳ）、光量むら補正情報設定部３４０は、第２の光量むら補正情報記憶部３３０の第２補正テーブル３３１に格納されている１０００個の補正データのうち、当該主走査方向における印字領域の範囲内であって、かつ、ほぼ等間隔に位置する３２個の補正位置を抽出する（ステップＳ２０３）。この３２個の補正位置は、具体的には、前述の式１と同様にして定めることができる。
【００９６】
もっとも、印字領域が主走査方向において２箇所以上ある場合には、３２個の補正位置を各印字領域の主走査方向における幅に応じて比例配分して、各印字領域に該当する補正データを等間隔で配置する構成となる。
光量むら補正情報設定部３４０は、第２補正テーブル３３１から抽出された上記３２個の補正データ（補正位置＋補正量）を読み出して、第３補正テーブル３４２を作成して、これにより光量むら補正情報Ｂを作成し（ステップＳ２０４）、これを光量むら補正情報設定として選択する（ステップＳ２０５）。
【００９７】
具体的に、光量むら補正情報設定部３４０は、第３補正テーブル３４２の情報がタイミング生成部３１９、光量むら補正ＤＡＣ３１７にそれぞれ送られるようにスイッチ３２２，３２３を切り換える。
その後、図１１のフローチャートにリターンする。
この実施の形態によれば、ＬＤ駆動部３１０の負荷を増すことなく、印字領域に光量むら補正情報を集中して、印字領域の画質をより向上させることが可能となる。
【００９８】
＜第３実施の形態＞
本実施の形態では、種類の異なる画像が主走査方向に並んでいる場合に光量むら補正情報の密度を当該画像の種類に応じて変更することを特徴とする。
図１８（ａ）（ｂ）は、本実施の形態が適用される典型的な例を説明するための図である。
【００９９】
この画像データには、主走査方向における左側に写真画像領域ａ３が含まれ、右側にはテキスト領域ａ４が含まれる。一般に、写真画像領域ａ３は濃度むらが少ない高画質が望まれ、反対にテキスト領域ａ４では、行間や字間の隙間も多く、多少濃度むらがあってもそれほど目に付かないので、本実施の形態では、図１８（ｂ）の光量補正むら情報Ｂのグラフに示すように、３２個の補正位置のうち、写真画像領域ａ３の方がテキスト領域ａ４よりも補正ポイントの密度が高くなるように振り分けている（例えば、両画像領域における補正ポイントの個数の比が約２対１から３対１程度）に設定している。
【０１００】
このように高画質化が望まれる部分と高画質化の必要のない部分とで光量むらの補正位置の間隔に差をつけることにより、補正位置の総数を増加させることなく、全体として見映えの良い画像形成が可能となる。
また、例えば、図１９（ａ）のように画像データが、２つの写真画像領域ａ５、ａ８と、２つのテキスト領域ａ６、ａ７が、副走査方向の範囲ｂ１とｂ２で異なる範囲にあるような場合には、光量むら補正情報設定部３４０は、図１９（ｂ）と図１９（ｃ）の各光量むら補正情報に対応する２種類の第３補正テーブル３４２を生成して、当該２種類の補正テーブルを副走査方向範囲ｂ１とｂ２で切り換えて、ＬＤ駆動部３１０に送信するようにすればよい。
【０１０１】
図２０は、本実施の形態における光量むら補正情報設定処理のサブルーチンを示すフローチャートである。なお、本例において画像形成すべきシート幅サイズは、最大であるものとする。
まず、画像情報を解析して、写真画像領域の有無を判定する（ステップＳ３０１）。
画像データに写真画像が含まれるか否かは、公知の手法により判定できる。
【０１０２】
例えば、外部の端末から受信した印刷ジョブを実施する場合には、多くの場合、画像データは、ポストスクリプト形式で送信されており画像の種類とその位置に関する情報が付されているので、当該情報により写真画像領域とテキスト画像領域の有無とその位置が直ぐに判別できる。
また、複写機などのようにスキャナーで読取った原稿の画像データをそのまま印刷するような場合には、例えば、当該スキャンした画像データを走査してエッジを検出し、エッジ数が頻繁に現出する部分をテキスト領域、それ以外の中間色の連続する部分などを写真画像領域と判断することができる。
【０１０３】
もし、画像形成すべき画像データの中に写真画像領域がなければ（ステップＳ３０１でＮＯ）、通常の光量むら補正をすべく、第１補正テーブル３２１を光量むら補正情報Ａを選択して、図１１のメインフローチャートにリターンする。
反対に、ステップＳ３０１で写真画像領域が有ると判定された場合には（ステップＳ３０１でＹＥＳ）、当該写真画像領域の主走査方向における幅が、シート幅に対し所定の割合（例えば、８０％）以下であるか否かを判定する（ステップＳ３０２）。
【０１０４】
写真画像領域の主走査方向における幅が、所定の割合以上であって、例えば、図２１に示すように主走査方向におけるほとんどの位置を占めていれば、１頁内の画像の中で光量むら補正情報に粗密を設けることはほとんどできないので、この場合には、通常通り第１補正テーブル３２１内の光量むら補正情報Ａを選択する（ステップＳ３０２でＮＯ、ステップＳ３０７）。
【０１０５】
ステップＳ３０２で、写真画像領域の主走査方向における幅が、シート幅に対し所定の割合以下であれば（ステップＳ３０２でＹＥＳ）、次に、写真画像領域が複数個あって、その範囲が、副走査方向に重なっていないか否かを判定する（ステップＳ３０３）。
例えば、１頁の画像内に写真画像領域が２つあって、それが図１９（ａ）のように、副走査方向に重なっていない場合には、副走査方向における切り換えポイントで光量むら補正情報をうまく切り換えることができ、それぞれの写真画像における光量むら補正位置の密度を一定に揃えることができるが、図２２のように写真画像Ａと写真画像Ｂの領域が副走査方向においてＣの幅だけ重なっている場合には、写真画像Ａ，Ｂの重なっているＣの範囲における光量むら補正位置の密度とそうでない部分の密度が異ならざるを得ず、観察者に違和感を与える結果になるからである。
【０１０６】
そこで、本実施の形態では、図２２のように写真画像領域が複数個あって、その範囲が、副走査方向に重なっている場合には（ステップＳ３０３でＹＥＳ）、ステップＳ３０６に移って、通常のように第１補正テーブル３２１を光量むら補正情報に設定するようにしている。
ステップＳ３０３でＮＯと判断された場合、すなわち写真画像領域が一つか、複数であっても副走査方向に重なっていないような場合には、前述のように写真画像領域の存在する副走査方向の範囲について、写真画像領域の光量むらを優先して補正するように（すなわち、写真画像領域における補正位置の密度が、非写真画像領域における密度よりも高くなるように）、第２補正テーブル３３１の光量むら補正位置から補正位置を抽出する（ステップＳ３０４）。
【０１０７】
そして、抽出された補正位置と当該補正位置に対応する補正量に基づき第３補正テーブル３４２の光量むら補正情報Ｂを作成し（ステップＳ３０５）、この光量むら補正情報Ｂを光量むら補正のための情報として選択する（ステップＳ３０６）。
その後、図１１のメインフローチャートにリターンする。
このよう本実施の形態では、写真画像領域における補正位置の密度を、それ以外の非写真画像領域における密度より大きくすることにより、光量むらが目立ちやすい写真画像の画質の劣化を優先的に補正されるので、観察者は全体として画質が向上したような印象を受ける。
【０１０８】
なお、本実施の形態において、写真画像とは階調性を有する画像（階調画像）を代表して示しており、本来の写真画像のほか階調性を有する絵画の画像なども含まれるものとする。これに対し、テキスト画像は、非階調画像として定義することが可能である。
＜変形例＞
本発明の技術的範囲は、上記の各実施の形態に限定されるのでなく、例えば、次のような変形例も考えることができる。
【０１０９】
（１）上記実施の形態では、各補正区間の幅を、ポリゴンミラー２７１の偏向角がその補正区間を移動する時間（クロック数）で規定しているが、その他、各補正区間の始点の主走査位置等、補正区間の幅を特定可能な情報であればよい。
（２）上記実施の形態では、各光量むら補正位置に対応する光量むら補正量の値を、光源の発光量の基準値に対する補正後の発光量の割合で規定しているが、その他、補正後の発光量の値そのもの、その値と基準値との差、その値でレーザー発振器ＬＤに発光させるのに必要な電流量等、レーザー発振器ＬＤの発光量を、ポリゴンミラー２７１の偏向角の変化に伴う走査光学系の反射率／透過率等の変動の相殺に必要な値に一致させることが可能な値で規定されていればよい。
【０１１０】
（３）上記実施の形態においては、ＬＤ駆動部３１０における光量むら補正の回数を１主走査期間ごとに３２個にしたが、必ずしも３２個でなくてもよい。ただＬＤ駆動部３１０の回路規模増大によるコストアップを回避するという観点から考えて、設計段階において妥当な上限値が設定される。
（４）上記実施の形態では、光走査部２６における光学素子に起因する感光体ドラムにおける主走査方向の光量むら（露光むら）の解消について説明したが、感光体ドラム上での光量むらが解消されても、その後の作像プロセスにおける、例えば、現像むらなどにより主走査方向に濃度むらが発生する場合がある。
【０１１１】
そこで、本変形例では、中間転写ベルトに所定のトナーパターンを形成し、このトナーパターンにおける主走査方向の濃度むらを検出し、これを光量むら補正情報設定部３４０で設定された補正テーブルに反映するようにしている。
図２３は、本変形例における特徴的な構成を説明するためのＹの画像形成に関する概略図であり、上記実施の形態の図４に示す制御部３００Ｙに対し、更に濃度むら補正情報演算部３５０と画像読取装置３６０が追加されている点が大きく異なる。なお、本図においては光学素子や作像部の構成は、簡潔化のため説明に必要な部分のみ開示し、他の構成は図示を省略している。
【０１１２】
以下、本変形例における構成をその動作と共に順を追って説明する。
（ａ）光量むら補正情報設定処理
上記各実施の形態と同様に、まず、画像情報に基づき、光量むら補正情報設定部３４０によって、第１の光量むら補正情報記憶部３２０内の第１補正テーブル３２１の光量むら補正情報Ａ、もしくは、第２の光量むら補正情報記憶部３３０から３２個の補正位置を選定して作成した第３補正テーブル３４２内の光量むら補正情報Ｂを、画像形成時にＬＤ駆動部３１０で適用される光量むらの補正情報として設定する。
【０１１３】
（ｂ）テストパターン形成処理
そして、制御部３００Ｙは、例えば、内部メモリ（不図示）に記憶している所定の濃度のトナーパターン２３１を示す画像データを読み出し、上記設定された光量むら補正情報に基づき、ＬＤ駆動部３１０を制御して半導体レーザー２６Ｙを駆動し、ポリゴンミラー２７１で偏向しつつ、ｆθレンズ２７３などの光学素子を介して、感光体ドラム２９Ｙを露光走査し、中間転写ベルト（被転写体）２３上にＹ色のトナーパターン２３１を形成する（トナーパターン形成部）。
【０１１４】
（ｃ）トナーパターン読取り処理
画像読取装置３６０は、例えば、主走査方向に沿って配置されたＣＣＤラインセンサーからなり、上記中間転写ベルト２３に形成されたテストパターン２３１の画像を読取ってその画像データを濃度むら補正情報演算部３５０に送信する。
（ｄ）補正テーブル更新処理
濃度むら補正情報演算部（補正量調整部）３５０は、画像読取装置３６０から得られた画像データに基づき主走査方向における濃度むらを検出すると共に、上記設定された光量むら補正情報（光量むら補正情報ＡもしくはＢ）を、第１の光量むら補正情報記憶部３２０もしくは光量むら補正情報設定部３４０の補正テーブルから取得し、その光量むら補正情報における各補正位置の補正量を、上記濃度むらを相殺する値になるように変更・調整して、補正テーブルを書き換える。
【０１１５】
（ｅ）画像形成処理
上記書き換えた補正テーブルに基づき、光源の光量を補正しながら、画像情報に含まれる画像データの画像を形成する。
以上の処理を、他のＣ、Ｍ、Ｋの各再現色についても実行することにより、濃度むらが、より解消された画質に優れたカラー画像を形成することができる。
【０１１６】
（５）上記の各実施の形態では、光量むら補正情報設定部３４０は、画像情報に基づき、シート幅サイズや余白の有無、写真画像領域の有無に応じて、必要に応じて第２の光量むら補正情報記憶部３３０の第２補正テーブル３３１から補正位置を抽出して、新たに第３補正テーブル３４２を生成するようにしたが、図２４に示すように、予想される画像情報の態様に対応して、第２の光量むら補正情報記憶部３３０の第２補正テーブル３３２内に、予め３２個の補正位置について、光量むら補正位置Ｃ１〜Ｃ５０と各補正位置情報に対応する光量むら補正量Ｃ１〜Ｃ５０からなる複数の補正テーブルを準備しておくようにしてもよい。
【０１１７】
このようにすれば、光量むら補正情報設定部３４０は、それらの複数の補正テーブルから画像情報の内容に適合する補正テーブルを選択して、第３補正テーブル３４２として設定すればよいので、光量むら補正情報の設定をより迅速に行える。
（６）また、光量むら補正情報ＡとＢの補正位置の数を完全に一致させなくてもよい。上記実施の形態では、光量むら補正情報設定部３４０によって作成される第３補正テーブル３４２における補正位置の個数は、第１の光量むら補正情報記憶部３２０と同じ３２個にしたが、１回の主走査期間内に切換え可能であれば、それ以上の個数であっても構わない。但し、スイッチ３２２、３２３（図４）におけるスイッチング損失による消費電力の増大を考慮すると、所望の画質改善に必要な以上に個数を増加させる必要はない。
【０１１８】
（７）上記実施の形態では、カラーレーザープリンターについて説明したが、本発明の実施形態による画像形成装置はその他に、モノクロレーザープリンター、ファクシミリ、コピー機、または複合機等のいずれであってもよい。
（８）上記実施の形態および変形例は、本発明の趣旨に反しない限り組み合わせてもよい。
【産業上の利用可能性】
【０１１９】
本発明は、光走査方向に光量むらが生じうる光走査部を備えた画像形成装置における光量むら補正の技術として好適であり、産業上の利用可能性を有する。
【符号の説明】
【０１２０】
１００  プリンター
２６    光走査部（露光走査部）
２６０  光源部
２７１  ポリゴンミラー
２７３  ｆθレンズ
２５Ｙ〜２５Ｋ  感光体ドラム
２８Ｙ〜２８Ｋ、２９Ｙ〜２９Ｃ  折り返しミラー
５０          主制御部
３００          光走査部における制御部
３００Ｙ        光走査部におけるイエロー用の制御部
３１０          ＬＤ駆動部（光源駆動部）
３１７          光量むら補正ＤＡＣ
３１９          タイミング生成部
３２０          第１の光量むら補正情報記憶部（第１の記憶部）
３２１          第１補正テーブル（第１の補正情報）
３３０          第２の光量むら補正情報記憶部（第２の記憶部）
３３１          第２補正テーブル（第２の補正情報）
３４０          光量むら補正情報設定部
３４１          光量むら補正情報選択部
３４２          第３補正テーブル（第３の補正情報）
３５０          濃度むら補正情報演算部（補正量調整部）
３６０          画像読取装置（画像読取部）
【図１】
2016159466.tif 000003
【図２】
2016159466.tif 000004
【図３】
2016159466.tif 000005
【図４】
2016159466.tif 000006
【図５】
2016159466.tif 000007
【図６】
2016159466.tif 000008
【図７】
2016159466.tif 000009
【図８】
2016159466.tif 000010
【図９】
2016159466.tif 000011
【図１０】
2016159466.tif 000012
【図１１】
2016159466.tif 000013
【図１２】
2016159466.tif 000014
【図１３】
2016159466.tif 000015
【図１４】
2016159466.tif 000016
【図１５】
2016159466.tif 000017
【図１６】
2016159466.tif 000018
【図１７】
2016159466.tif 000019
【図１８】
2016159466.tif 000020
【図１９】
2016159466.tif 000021
【図２０】
2016159466.tif 000022
【図２１】
2016159466.tif 000023
【図２２】
2016159466.tif 000024
【図２３】
2016159466.tif 000025
【図２４】
2016159466.tif 000026